【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
アンテナシステムであって、
基板と、
導電性粒子ベースの材料からなる放射アンテナエレメントとを備え、
該導電性粒子ベースの材料は、バインダ内に分散した状態の導電性粒子を含み、
該導電性粒子は、該導電性粒子の少なくとも大部分が相互に隣接するが、相互に触れないように該バインダ内に分散した状態にあり、
前記基板が第１の層として設けられたものであり、前記放射アンテナエレメントが前記第１の層と平行な第２の層として設けられたものであり、
前記導電性粒子ベースの材料が前記基板上に直接的に塗布された状態にあり、
前記導電性粒子ベースの材料が直接的に塗布された前記基板の一部は非導電性であり、前記導電性粒子ベースの材料が直接的に塗布された前記基板の他の部分は導電性である、アンテナシステム。
【請求項２】
前記基板の導電性の部分は、該放射アンテナエレメントに対して電気的、容量的、および誘導的のうち少なくとも１つで結合した状態にあり、かつ供給ラインに対して電気的に結合した状態にある、請求項１に記載のアンテナシステム。
【請求項３】
無線周波数信号が該放射アンテナエレメントに入力される場合、逆電力は銅から製造された同一に形成されたアンテナエレメントの逆電力よりも小さい、請求項１に記載のアンテナシステム。
【請求項４】
該導電性粒子が、異なる不均一形状の導電性粒子、種々のサイズからなる導電性粒子、及び３０マイクロメートルよりも小さい導電性粒子のうち少なくとも何れかを含む、請求項１に記載のアンテナシステム。
【請求項５】
該導電性粒子ベースの材料が、乾燥または硬化する液体、塗料、ゲル、インクおよびペーストのうち少なくとも１つとして該基板に塗布された状態にある、請求項１に記載のアンテナシステム。
【請求項６】
該基板の非導電性の部分の少なくとも一部が導電性材料と該放射アンテナエレメントとの間に設けられた状態にあり、請求項１に記載のアンテナシステム。
【請求項７】
該基板が該放射アンテナエレメント用の接地面を含む、請求項１に記載のアンテナシステム。
【請求項８】
該放射アンテナエレメントに適用された保護コーティングおよび隠蔽コーティングの少なくとも１つを更に備える請求項１に記載のアンテナシステム。
【請求項９】
全体の入力サイクルより短い期間について作動する増幅器によって増幅された無線周波数信号が該放射アンテナエレメントに供給される請求項１に記載のアンテナシステム。
【請求項１０】
該増幅器がＣ級増幅器を含む、請求項９に記載のアンテナシステム。
【請求項１１】
アンテナ増強部材であって、
導電性粒子ベースの材料からなるアンテナ増強エレメントを備え、
該アンテナ増強エレメントは、放射及び受信の少なくとも一方のアンテナエレメントに隣接しかつ該アンテナエレメントからずらした状態で配置されており、
前記アンテナ増強エレメントは電気的に絶縁された状態にあり、
該導電性粒子ベースの材料が、バインダ内に分散した状態の導電性粒子を含み、
該導電性粒子は、該導電性粒子の少なくとも大部分が相互に隣接するが、相互に触れないようにバインダ内に分散された状態にある、アンテナ増強部材。
【請求項１２】
エアギャップおよび非導電性材料のうち少なくとも１つが、該アンテナエレメントと該アンテナ増強エレメントとの間に設けられた状態にある、請求項１１に記載のアンテナ増強部材。
【請求項１３】
該アンテナ増強エレメントと該アンテナエレメントとが、誘導的および容量的のうち少なくとも１つで結合された状態にある、請求項１１に記載のアンテナ増強部材。
【請求項１４】
無線周波数信号が該アンテナエレメントに入力された場合、逆電力が該アンテナ増強部材を有しないアンテナエレメントの逆電力よりも低い、請求項１１に記載のアンテナ増強部材。
【請求項１５】
該導電性粒子が、異なる不均一形状の導電性粒子、種々のサイズからなる導電性粒子、及び３０マイクロメートルよりも小さい導電性粒子のうち少なくとも何れかを含む、請求項１１に記載のアンテナ増強部材。
【請求項１６】
導電性粒子ベースの材料が支持体構造に適用され、
該導電性粒子ベースの材料が、乾燥または硬化する液体、塗料、ゲル、インクおよびペーストのうち少なくとも１つとして該支持体構造に塗布された状態にある、請求項１１に記載のアンテナ増強部材。
【請求項１７】
全体の入力サイクルよりも短い期間について作動する増幅器によって増幅された無線周波数信号が該アンテナエレメントに供給される、請求項１１に記載のアンテナ増強部材。
【請求項１８】
該増幅器がＣ級増幅器を含む、請求項１７に記載のアンテナ増強部材。
【請求項１９】
該アンテナ増強エレメントが該アンテナエレメントと同じサイズか又は該アンテナエレメントよりも小さい、請求項１１に記載のアンテナ増強部材。
【請求項２０】
前記放射アンテナエレメントが受信アンテナエレメントでもある、請求項１に記載のアンテナシステム。
【請求項２１】
前記アンテナエレメントは電子機器に設けられ、前記アンテナ増強エレメントは前記電子機器のケースに設けられる、請求項１１に記載のアンテナ増強部材。
【請求項２２】
アンテナシステムであって、
導電性基板と、
導電性粒子ベースの材料からなる放射アンテナエレメントとを備え、
該導電性粒子ベースの材料は、バインダ内に分散された状態の導電性粒子を含み、
該導電性粒子は、該導電性粒子の少なくとも大部分が相互に隣接するが、相互に触れないように該バインダ内に分散された状態にあり、
前記導電性基板が第１の層として設けられたものであり、前記放射アンテナエレメントが前記第１の層と平行な第２の層として設けられたものであり、
前記導電性粒子ベースの材料は前記導電性基板上に直接的に塗布された状態にある、アンテナシステム。
【請求項２３】
該放射アンテナエレメントに対して電気的、容量的、および誘導的のうち少なくとも１つで結合するためであって、かつ供給ラインに対して電気的に結合するためのカプラを更に備える請求項２２に記載のアンテナシステム。
【請求項２４】
無線周波数信号が該放射アンテナエレメントに入力される場合、逆電力は銅から製造された同一に形成されたアンテナエレメントの逆電力よりも小さい、請求項２２に記載のアンテナシステム。
【請求項２５】
前記放射アンテナエレメントが受信アンテナエレメントでもある、請求項２２に記載のアンテナシステム。
【請求項２６】
該導電性粒子が、異なる不均一形状の導電性粒子、種々のサイズからなる導電性粒子、及び３０マイクロメートルよりも小さい導電性粒子のうち少なくとも何れかを含む、請求項２２に記載のアンテナシステム。
【請求項２７】
該導電性粒子ベースの材料が、乾燥または硬化する液体、塗料、ゲル、インクおよびペーストのうち少なくとも１つとして該基板に塗布された状態にある、請求項２２に記載のアンテナシステム。
【請求項２８】
該放射アンテナエレメントに適用された保護コーティングおよび隠蔽コーティングの少なくとも１つを更に備える請求項２２に記載のアンテナシステム。
【請求項２９】
全体の入力サイクルよりも短い期間について作動する増幅器によって増幅された無線周波数信号が該放射アンテナエレメントに供給される、請求項２２に記載のアンテナシステム。
【請求項３０】
該増幅器がＣ級増幅器を含む、請求項２９に記載のアンテナシステム。
【請求項３１】
アンテナ増強部材であって、
導電性粒子ベースの材料からなるアンテナ増強エレメントを備え、
前記アンテナ増強エレメントは、無線機器のハウジングの内側の領域であって、放射及び受信の少なくとも一方の内部のアンテナに近接する領域に設けられたものであり、
無線機器の前記ハウジングは導電性材料からなり、
非導電性材料が前記アンテナ増強エレメントと前記アンテナとの間に設けられた状態にあり、
前記導電性粒子ベースの材料は、バインダ内に分散した状態の導電性粒子を含み、
該導電性粒子は、該導電性粒子の少なくとも大部分が相互に隣接するが、相互に触れないように該バインダ内に分散した状態にある、アンテナ増強部材。
【請求項３２】
該アンテナ増強エレメントと該アンテナとが、誘導的および容量的のうち少なくとも１つで結合された状態にある、請求項３１に記載のアンテナ増強部材。
【請求項３３】
無線周波数信号が該アンテナに入力された場合、逆電力が該アンテナ増強部材を有しないアンテナエレメントの逆電力よりも低い、請求項３１に記載のアンテナ増強部材。
【請求項３４】
該導電性粒子が、異なる不均一形状の導電性粒子、種々のサイズからなる導電性粒子、及び３０マイクロメートルよりも小さい導電性粒子のうち少なくとも何れかを含む、請求項３１に記載のアンテナ増強部材。
【手続補正２】
【補正対象書類名】明細書
【補正対象項目名】発明の名称
【補正方法】変更
【補正の内容】
【発明の名称】アンテナシステム及びアンテナ増強部材
【手続補正３】
【補正対象書類名】明細書
【補正対象項目名】０００１
【補正方法】変更
【補正の内容】
【０００１】
本発明は、アンテナシステム及びアンテナ増強部材に関する。詳しくは、電磁放射線の伝播、放出および吸収のうち少なくとも１つの用途で用いられる材料のための技術に関する。さらに詳しくは、本発明は、電磁放射線の伝播、放出および吸収のうち少なくとも１つの用途で用いられる、導電性粒子ベースの材料のための技術に関する。
【手続補正４】
【補正対象書類名】明細書
【補正対象項目名】００８７
【補正方法】変更
【補正の内容】
【００８７】
導電性粒子ベースの材料を基板に適用して、所望のアンテナ設計に基づいて導電性粒子ベースの適合するアンテナを形成する。
基板は、アクリル、ＡＢＳ、構造発泡体のような任意の材料、ポリカーボネートおよびポリスチレンのような溶媒感受性材料のいずれかの表面、およびプライマー処理された壁板、木材および清浄な金属等を含めた非多孔性表面等であってもよい。